(57)【要約】【課題】  利用者に広告情報を確実に認識させる広告手段を備えたゴミ箱装置を提供する。【解決手段】  ゴミ箱装置１３における装置本体１５には、ディスプレイ１７及びスピーカ１８が設けられ、ゴミの分別種類ごとにゴミ箱本体２１、投入口２９及び蓋体２３、ボタン２５ａ〜２５ｃがそれぞれ設けられている。ゴミ箱装置１３にゴミを投入する際に、分別種類のボタン２５ａ〜２５ｃのいずれかを押下すると、対応した蓋体２３ａ〜２３ｃのいずれかが一定時間開状態となり、ゴミの投入が可能になる。更に、該分別種類に対応した広告情報が一定時間ディスプレイ１７に表示されると共にスピーカ１８より音声出力される。このため、利用者がゴミ箱装置１３内にゴミを投入しに来ると、視覚及び聴覚を介して確実に広告情報を認識させることが出来る。【選択図】      図１
2007310107.tif 000002
【特許請求の範囲】
【請求項１】
広告機能を有するゴミ箱装置であって、
投入口を有するゴミ箱本体と、
前記投入口を塞ぐように設けられ、開閉自在の蓋体と、
前記蓋体に係合し、前記蓋体の開閉を行う蓋体駆動手段と、
前記ゴミ箱本体に対応させて設けられた入力手段と、
前記ゴミ箱本体の近くに設けられ、広告情報を発する広告手段と、
前記入力手段に対する入力に応答して、前記蓋体を開状態にするように前記蓋体駆動手段を制御すると共に、前記広告情報を発するように前記広告手段を制御する制御手段とを備えた、ゴミ箱装置。
【請求項２】
前記制御手段は、前記蓋体が開状態となってから第１の一定時間経過後に前記蓋体を閉状態とするように前記蓋体駆動装置を制御し、第２の一定時間のみ前記広告情報を発するように広告手段を制御する、請求項１記載のゴミ箱装置。
【請求項３】
前記広告手段はディスプレイを含む、請求項２記載のゴミ箱装置。
【請求項４】
前記広告手段はスピーカを含む、請求項１から請求項３のいずれかに記載のゴミ箱装置。
【請求項５】
前記ゴミ箱本体は、ゴミの分別種類ごとに複数設けられ、前記蓋体と、前記蓋体駆動機構と、前記入力手段は、前記ゴミ箱本体の各々に対応して設けられる、請求項１記載から請求項４のいずれかに記載のゴミ箱装置。
【請求項６】
前記ゴミの分別種類ごとに対応する広告内容を記憶する記憶装置を更に備え、前記広告手段は前記ゴミ箱本体の各々に対して共通に設けられ、前記制御手段は、前記入力手段のいずれかの入力に応答して、前記対応する広告内容を前記広告情報として発するように前期広告手段を制御する、請求項５記載のゴミ箱装置。
【請求項７】
前記ゴミの分別種類ごとに、対応する前記入力手段の各々への入力回数を計測する計測手段を更に備えた、請求項６記載のゴミ箱装置。
【請求項８】
前記入力手段への、前記ゴミの分別種類ごとの入力回数に基づいて広告料金を算出する演算手段を更に備えた、請求項７記載のゴミ箱装置。
【請求項９】
広告機能を有するゴミ箱装置であって、
投入口を有するゴミ箱本体と、
前記投入口を塞ぐように設けられ、開閉自在の蓋体と、
前記蓋体に係合し、前記蓋体を閉状態に付勢する付勢手段と、
前記蓋体の閉状態から開状態への変化を検知する検知手段と、
前記ゴミ箱本体の近くに設けられ、広告情報を発する広告手段と、
前記検知手段における検知出力に応答して、前記広告情報を発するように前記広告手段を制御する制御手段とを備えた、ゴミ箱装置。
【請求項１０】
広告機能を有するゴミ箱装置であって、
投入口を有するゴミ箱本体と、
前記投入口を介してのゴミの投入を検知する検知手段と、
前記ゴミ箱本体の近くに設けられ、広告情報を発する広告手段と、
前記検知手段における検知出力に応答して、前記広告情報を発するように前記広告手段を制御する制御手段とを備えた、ゴミ箱装置。
【発明の詳細な説明】
【技術分野】
【０００１】
この発明はゴミ箱装置に関し、特にゴミ投入時に広告情報を発する機能を備えたゴミ箱装置に関するものである。
【背景技術】
【０００２】
コンビニエンスストアや駅、公園等の人が多く集まる場所に設置されているゴミ箱には、前面に広告シートを貼り付けたゴミ箱をゴミの分別種類別に複数個並べたものが多く用いられている（例えば特許文献１参照）。
図１６はこの特許文献１に開示された広告付きゴミ分別収集箱の概略構造を示した斜視図である。
【０００３】
図を参照して、ゴミ収集箱６０ａ〜６０ｃの各々は、上方が開放された直方体形状のゴミ箱本体２１ａ〜２１ｃの上部に、ゴミ投入口２９ａ〜２９ｄが形成されたゴミ箱蓋６１ａ〜６１ｃを取付けた構成であり、複数個を横一列に並べて配置した状態で使用される。
【０００４】
このうちの１つであるゴミ収集箱６０ａにおけるゴミ箱本体２１ａの正面上部には分別表示部２７ａが設けられ、「燃えるゴミ」の表示がなされている。又、他のゴミ収集箱６０ｂ及び６０ｃにおけるゴミ箱本体２１ｂ及び２１ｃの正面上部には分別表示部２７ｂ及び２７ｃが設けられ、それぞれに「ビン・カン」及び「燃えないゴミ」の表示がなされている。
【０００５】
ゴミ箱本体２１ａ〜２１ｃの各々の前面部には広告シート６２ａ〜６２ｃが貼り付けられている。このため、ゴミ収集箱６０ａ〜６０ｃは、安価にかつ長時間続けて利用できる広告塔とすることが出来る。
【０００６】
【特許文献１】実用新案登録第３０７７２２０号公報
【発明の開示】
【発明が解決しようとする課題】
【０００７】
上記のような従来のゴミ収集箱６０ａ〜６０ｃでは、広告シート６２ａ〜６２ｃを貼り替えない限り常に同じ場所に同じ広告内容を掲示することになるため、利用者が常に広告内容を意識して見ているとは考えにくいばかりでなく、広告シート６２ａ〜６２ｃをゴミ収集箱６０ａ〜６０ｃにおけるゴミ箱本体２１ａ〜２１ｃに貼った後、時間が経過するに従って、広告内容の陳腐化、広告シート２１ａ〜２１ｃの劣化等によって広告効果が減退する場合がある。又、これらの防止のために広告シート２１ａ〜２１ｃを一定期間ごとに貼り替えるには、手間とコストが掛ってしまう。
この発明は上記のような課題を解決するためになされたもので、ゴミ箱の利用者に確実に認識される広告情報を、効率的に発するゴミ箱装置を提供することを目的とする。
【０００８】
【課題を解決するための手段】
【０００９】
上記の目的を達成するために、請求項１記載の発明は、広告機能を有するゴミ箱装置であって、投入口を有するゴミ箱本体と、投入口を塞ぐように設けられ、開閉自在の蓋体と、蓋体に係合し、蓋体の開閉を行う蓋体駆動手段と、ゴミ箱本体に対応させて設けられた入力手段と、ゴミ箱本体の近くに設けられ、広告情報を発する広告手段と、入力手段に対する入力に応答して、蓋体を開状態にするように蓋体駆動手段を制御すると共に、広告情報を発するように広告手段を制御する制御手段とを備えたものである。
このように構成すると、入力手段への入力が行われた際に蓋体が開状態となると共に、広告情報が発せられる。
【００１０】
請求項２記載の発明は、請求項１記載の発明の構成において、制御手段は、蓋体が開状態となってから第１の一定時間経過後に蓋体を閉状態とするように蓋体駆動装置を制御し、第２の一定時間のみ広告情報を発するように広告手段を制御するものである。
【００１１】
このように構成すると、入力手段への入力が行われてから第１の一定時間経過後には蓋体が閉状態に戻り、又、第２の一定時間経過後には広告情報は発せられていない状態となる。
【００１２】
請求項３記載の発明は、請求項２記載の発明の構成において、広告手段はディスプレイを含むものである。
【００１３】
このように構成すると、ゴミ箱装置へのゴミ投入の際に、ディスプレイに広告情報が表示される。
【００１４】
請求項４記載の発明は、請求項１から請求項３のいずれかに記載の発明の構成において、広告手段はスピーカを含むものである。
【００１５】
このように構成すると、ゴミ箱装置へのゴミ投入の際に、スピーカから広告情報が発せられる。
【００１６】
請求項５記載の発明は、請求項１から請求項４のいずれかに記載の発明の構成において、ゴミ箱本体は、ゴミの分別種類ごとに複数設けられ、蓋体と、蓋体駆動機構と、入力手段は、ゴミ箱本体の各々に対応して設けられたものである。
【００１７】
このように構成すると、いずれかの分別種類のゴミ箱本体に対応して設けられた入力手段に対する入力を行うと、該ゴミ箱本体に対応して設けられた蓋体駆動機構が、該ゴミ箱本体に対応して設けられた蓋体を開状態にする。
【００１８】
請求項６記載の発明は、請求項５記載の発明の構成において、ゴミの分別種類ごとに対応する広告内容を記憶する記憶装置を更に備え、広告手段はゴミ箱本体の各々に対して共通に設けられ、制御手段は、入力手段のいずれかの入力に応答して、対応する広告内容を広告情報として発するように広告手段を制御するものである。
【００１９】
このように構成すると、ゴミ箱装置に投入するゴミの分別種類によって、広告情報の内容が変化する。
【００２０】
請求項７記載の発明は、請求項６記載の発明の構成において、ゴミの分別種類ごとに、対応する入力手段の各々への入力回数を計測する計測手段を更に備えたものである。
【００２１】
このように構成すると、ゴミの分別種類ごとに、広告情報を発した回数が計測される。
【００２２】
請求項８記載の発明は、請求項７記載の発明の構成において、入力手段へのゴミの分別種類ごとの入力回数に基づいて広告料金を算出する演算手段を更に備えたものである。
【００２３】
このように構成すると、広告料金は実際に発せられた回数に基づいて演算される。
【００２４】
請求項９記載の発明は、広告機能を有するゴミ箱装置であって、投入口を有するゴミ箱本体と、投入口を塞ぐように設けられ、開閉自在の蓋体と、蓋体に契合し、蓋体を閉状態に付勢する付勢手段と、蓋体の閉状態から開状態への変化を検知する検知手段と、ゴミ箱本体の近くに設けられ、広告情報を発する広告手段と。検知手段における検知出力に応答して、広告情報を発するように広告手段を制御する制御手段とを備えたものである。
【００２５】
このように構成すると、蓋体が開状態になると広告情報が発せられる。
【００２６】
請求項１０記載の発明は、広告機能を有するゴミ箱装置であって、投入口を有するゴミ箱本体と、投入口を介してのゴミの投入を検知する検知手段と、ゴミ箱本体の近くに設けられ、広告情報を発する広告手段と、検知手段における検知出力に応答して、広告情報を発するように広告手段を制御する制御手段とを備えたものである。
【００２７】
このように構成すると、投入口を介してゴミが投入されると広告情報が発せられる。
【００２８】
【発明の効果】
【００２９】
以上説明したように、請求項１記載の発明は、入力手段への入力が行われた際に蓋体が開状態となるので、ゴミ箱装置へのゴミ投入が可能になる。又これと共に広告情報が発せられるため、ゴミ箱装置へのゴミ投入を行った者に対して、確実に広告情報を発することが可能となる。更に、ゴミの投入時のみ、蓋体は開状態となるのでゴミ以外のものがゴミ箱本体内へ不用意に投入される虞がなく、又、広告情報が発せられるので、不必要に長時間広告情報を発することを無くすことが出来る。
請求項２記載の発明は、請求項１記載の発明の効果に加えて、入力手段への入力が行われて一定時間経過後には蓋体が閉状態となり、広告情報は発せられていない状態となるため、臭い等の発散が抑制され、又、入力手段への入力を行った者がゴミ箱装置付近に留まっている間にのみ広告情報が発せられているため、効率的に広告情報を発することが可能となる。
【００３０】
請求項３記載の発明は、請求項２記載の発明の効果に加えて、ゴミ箱装置へのゴミ投入の際に、ディスプレイに広告情報が表示されるため、ゴミ箱装置へのゴミ投入を行った者に対して、視覚を介して広告情報を認識させることが可能となる。
【００３１】
請求項４記載の発明は、請求項１から請求項３のいずれかに記載の発明の効果に加えて、ゴミ箱装置へのゴミ投入の際に、スピーカから広告情報が発せられるため、ゴミ箱装置へのゴミ投入を行った者に対して、聴覚を介して広告情報を認識させることが可能となる。
【００３２】
請求項５記載の発明は、請求項１から請求項４のいずれかに記載の発明の効果に加えて、いずれかの分別種類のゴミ箱本体に対応して設けられた入力手段に対する入力を行うと、該ゴミ箱本体に対応して設けられた蓋体駆動機構が、該ゴミ箱本体に対応して設けられた蓋体を開状態にするため、分別種類ごとのゴミの回収が可能となる。
【００３３】
請求項６記載の発明は、請求項５記載の発明の効果に加えて、ゴミ箱装置に投入するゴミの分別種類によって、広告情報の内容が変化するため、ゴミ箱装置に投入するゴミの分別種類に関連の深い内容の広告情報を発することが可能になり、広告効果が高まる。
【００３４】
請求項７記載の発明は、請求項６記載の発明の効果に加えて、ゴミの分別種類ごとに、広告情報を発した回数が計測されるため、どの内容の広告情報が何度発せられたかを把握することが可能となるので広告効果が数値的に把握可能となる。
【００３５】
請求項８記載の発明は、請求項７記載の発明の効果に加えて、広告料金は実際に発せられた回数に基づいて演算されるため、広告効果に応じた適切な広告料を課金することができる。
【００３６】
請求項９記載の発明は、ゴミを投入するためには蓋体を開状態にする必要があり、これに連動して広告情報が発せられるため、ゴミ投入を行った者に対して、確実に広告情報を発することが可能となる。
【００３７】
請求項１０記載の発明は、投入口を介してゴミを投入するだけで広告情報が発せられるため、ゴミの投入が簡易になると共に、確実に広告情報を発することが可能となる。
【発明を実施するための最良の形態】
【００３８】
図１はこの発明の第１の実施の形態によるゴミ箱装置の概略構造を示した斜視図であり、図２は図１で示したＩＩ−ＩＩラインの断面図である。
これらの図を参照して、ゴミ箱装置１３は、正面側下部と底面が開放されたほぼ直方体の箱形状の装置本体１５と、上方が開放された直方体形状のゴミ箱本体２１ａ〜２１ｃとからなり、装置本体１５の正面側下部の開放部分１６より、ゴミ箱本体２１ａ〜２１ｃを仮想線のように引出しが自在になるように、内部に収納している。装置本体１５の内部は、後述するシステム制御装置３３が格納されている上方部分を除き、ゴミ箱本体２１ａ〜２１ｃの各々に対応するように仕切られている（図示せず）。
【００３９】
装置本体１５の正面側上方中央部には横長方向に伸びた長方形形状のディスプレイ１７が取り付けられ、ディスプレイ１７の左右両側に円形のスピーカ１８ａ〜１８ｄが取付けられている。
【００４０】
装置本体１５の正面側の、ディスプレイ１７及びスピーカ１８ａ〜１８ｄの配置部分より下部は、装置本体１５の内側に凹んだ形状となっている。この部分は前述したように内部が仕切られているが、この仕切りごとに分別表示部２７ａ〜２７ｃが一つずつ横一列に配置され、これらの分別表示部２７ａ〜２７ｃ各々の下に、矩形の開口部である投入口２９ａ〜２９ｃが横一列に形成されている。
【００４１】
分別表示部２７ａには“燃えないゴミ”の文字が表示されると共に、ボタン２５ａが配置されている。分別表示部２７ｂには“カン・ビン”の文字が表示されると共に、ボタン２５ｂが配置されている。分別表示部２７ｃには“燃えるゴミ”の文字が表示されると共に、ボタン２５ｃが配置されている。
【００４２】
又、投入口２９ａ〜２９ｃは、それぞれ開閉自在の蓋体２３ａ〜２３ｃによって後述するように塞がれている。
【００４３】
ゴミ箱装置１３における装置本体１５の内部には、上部にシステム制御装置３３が格納されている。また、蓋体２３ａ〜２３ｃの各々は、装置本体１５に回動軸２４を介して開閉自在に取付けられ、例えばモーター、ギア等からなる蓋体駆動装置１９が係合している。蓋体２３ａ〜２３ｃの開閉は蓋体駆動装置１９によって行われる。
【００４４】
図３は、図２で示したシステム制御装置３３の概略構成と、広告ディスプレイ１７、スピーカ１８、蓋体駆動装置１９との関係を示したブロック図である。
【００４５】
図を参照して、システム制御装置３３はシステム制御部３５を中心として構成される。システム制御部３５には、ゴミの分別種類ごとに対応する広告情報を記憶する記憶部３７と、広告ディスプレイ１７への広告情報の表示を制御する表示制御部３８と、スピーカ１８からの広告情報の音声出力を制御する音声制御部３９と、ボタン２５が押されたことを、ゴミの分別種類ごとに検知するボタン検知部４１と、蓋体駆動装置１９の駆動を制御する蓋開閉制御部４２とが接続されている。
【００４６】
システム制御部３５は、ボタン検知部４１から送信されたボタン検知情報を受信すると、ボタン検知情報のゴミ分別種類に対応する蓋体２３に係合する蓋体駆動装置１９が、蓋体２３を一定時間開状態にするように蓋開閉制御部４２に命令を出す。更に、ボタン検知情報のゴミ分別種類に基づいて、該分別種類に対応する、表示用及び音声出力用の広告情報を記憶部３７より読み出し、表示用広告情報を広告ディスプレイ１７に一定時間表示させるように表示制御部３８に命令を出すと共に、音声出力用広告情報をスピーカ１８より音声出力させるように音声制御部３９に命令を出す。
【００４７】
又システム制御部３５は、ボタン２５の分別種類ごとの押下回数を計測し、この回数に基づいて広告料金を演算する機能を有する。
【００４８】
図４は、システム制御部３５に格納されている課金テーブルの具体的内容を示した図である。
【００４９】
図を参照して、この実施の形態においては、課金テーブル４８ａにはボタン押下数と、それに対応する課金額が格納されている。つまり、ある分別種類のボタン２５の１日の押下回数が１００回以下であれば１日の広告料金は３，０００円であり、同じく１０１回以上５００回以下であれば４，０００円であり、５０１回以上であれば５，０００円となっている。このように、ボタン２５の押下回数が多いと広告料金が高く課金される。このため、広告情報を発した回数、すなわち広告効果に応じた合理的な広告料金が設定されることになる。
【００５０】
図５は、この発明の第１の実施の形態によるゴミ箱装置のシステム制御の具体的内容を示したフローチャートである。
【００５１】
図を参照して、まずステップＳ１１において、すべてのボタン２５の押下回数の計測値を０に初期化し、更にステップＳ１２において、広告料金の課金単位となる設定時間を初期化する。次にステップＳ１３において、設定時間内であるかどうかの判断が行われる。設定時間は図４に示した課金テーブル４８ａに基づいて定められ、例えば図４における課金テーブル４８ａは、広告料金を１日のボタン２５の押下回数に基づいて定めているため、この場合の設定時間は２４時間となる。設定時間が過ぎていればステップＳ１００において広告料金計算処理が行われる。広告料金計算処理の詳細については後述する。設定時間内である場合は、ステップＳ１４においてボタン２５ａ〜２５ｃのいずれかが押下されたかどうかの判別が行われる。ボタン２５ａ〜２５ｃのいずれかが押下されない場合はステップＳ１３に戻り、ボタン２５ａ〜２５ｃのいずれかが押下された場合はステップＳ１５において、ボタン２５の種類の判別が行われる。
【００５２】
まず、図１におけるボタン２５ａ、すなわち分別種類“燃えないゴミ”のボタンが押下された場合の処理の流れについて説明する。
【００５３】
ボタン２５ａが押下されると、ステップＳ１６において、“燃えないゴミ”の押下回数の計測値に１追加する処理が行われ、ステップＳ１７において、蓋体２３ａを開状態にし、一定時間後に閉状態にするように蓋体駆動装置１９を駆動する制御がなされる。次に、図３における記憶部３７内に格納されている広告情報より、分別種類“燃えないゴミ”に対応する広告情報を読み出し、この広告情報をステップＳ１８において広告ディスプレイ１７に表示させると共にスピーカ１８から音声出力させる制御がなされる。この後ステップＳ１９において、広告情報が表示等されてから所定時間が経過したかどうかの判断がなされる。所定時間が経過していなければステップＳ２０において更にボタン２５ａ〜２５ｃのいずれかが押下されたかどうかの判別がなされ、押下されていなければステップＳ１９に戻り、押下されていれば、ステップＳ１５のボタン２５の種類判別処理へ戻る。ステップＳ１９において、所定時間が経過したと判断されると、ステップＳ２１において、ディスプレイ１７の広告表示を消し、スピーカ１８からの広告情報の音声出力を止める制御がなされ、ステップＳ１３の設定時間内であるかどうかの判断処理に戻る。
【００５４】
次に、図１におけるボタン２５ｂ、すなわち分別種類“カン・ビン”のボタンが押下された場合のステップ１５におけるボタンの種類判別処理以降の処理の流れは、ステップＳ２２において“カン・ビン”の押下回数の計測値に１追加する処理が行われ、ステップＳ２３において蓋体２３ｂを一定時間開状態にし、後に閉状態にするように蓋体駆動装置１９を駆動する制御がなされ、ステップＳ２４において、記憶部３７内に格納されている広告情報より、分別種類“カン・ビン”に対応する広告情報を読み出し、この広告情報を広告ディスプレイ１７に表示させると共にスピーカ１８から音声出力させる。以降の流れは前述の“燃えないゴミ”の場合と同様である。
【００５５】
最後に、図１におけるボタン２５ｃ、すなわち分別種類“燃えるゴミ”のボタンが押下された場合のステップ１５におけるボタンの種類判別処理以降の処理の流れは、ステップＳ２８において“燃えるゴミ”の押下回数の計測値に１追加する処理が行われ、ステップＳ２９において蓋体２３ｃを一定時間開状態にし、後に閉状態にするように蓋体駆動装置１９を駆動する制御がなされ、ステップＳ２４において、記憶部３７内に格納されている広告情報より、分別種類“燃えるゴミ”に対応する広告情報を読み出し、この広告情報を広告ディスプレイ１７に表示させると共にスピーカ１８から音声出力させる。以降の流れは前述の“燃えないゴミ”の場合と同様である。
【００５６】
上記のような制御の下では、ゴミ箱装置１３はゴミを分別種類ごとに回収し、その際回収するゴミの分別種類に対応した広告情報を発する。例えば、ゴミ箱装置１３内に空き缶を投入する際には、利用者が投入したいゴミの分別種類“カン・ビン”のボタン２５ｂを押すと、該分別種類の蓋体２３ｂが開状態となり、投入口２９ｂより空き缶の投入が可能となる。この時、広告ディスプレイ１７には分別種類“カン・ビン”に対応した広告情報が表示され、スピーカ１８からも、同じく広告情報“カン・ビン”に対応した広告情報の音声が流れる。投入された空き缶は、ゴミ箱本体２１ｂ内へ落ち、一定時間経過後に蓋体２３ｂは閉状態となり、広告ディスプレイ１７の広告表示が消えると共にスピーカ１８から流れる広告情報の音声が止まる。
【００５７】
つまり、ゴミ箱装置１３の利用者は、ゴミ投入の際に必ずボタン２５ａ〜２５ｃのいずれかを押下するため、その際広告ディスプレイ１７及びスピーカ１８を介して発せられる広告情報を、確実に視覚及び聴覚を介して認識することが出来る。又、一旦ボタン２５ａ〜２５ｃのいずれかが押下されて一定時間経過後には、蓋体２３は閉状態となるため、ゴミ以外の物が誤ってゴミ箱装置１３内に投入される虞が無く、臭い等の発散を防止することも出来る。又、同じく一定時間経過後には広告情報の発信が止まるため、不必要に長時間広告情報を発することが無くなり、広告効果及びコストの両面において効率的な広告手段が実現される。更に、ボタン２５ａ〜２５ｃのいずれかが押下されて一定時間が経過しておらず、先のボタン２５押下に対応した広告情報が発せられている状態で更にボタン２５ａ〜２５ｃのいずれかが押下された場合は、後のボタン２５押下に対応した広告情報が直ちに発せられるため、常に最も効果的な広告情報を発することが可能となる。又、先のボタン２５押下から一定時間経過後には先のボタン２５に対応した蓋体２３が閉状態となり、後のボタン２５押下から一定時間経過後には、後のボタン２５に対応した蓋体２３が閉状態となる。
【００５８】
図６は、図５のフローチャートにおける、ステップＳ１００の広告料金計算処理の具体的内容を示したフローチャートである。
【００５９】
広告料金計算処理Ｓ１００は、図４における課金テーブル４８ａに基づいて行われる。図６における広告料金計算処理のフローチャートは、便宜上共通の１つのものとしているが、各ゴミの分別種類ごとに１回ずつ処理が行われる。
【００６０】
図を参照して、まずステップＳ１０１において、回数の判別が行われる。回数が１００回以下の場合はステップＳ１０２において１日あたり３０００円で演算され、１０１回以上５００回以下の場合はステップＳ１０３において１日あたり４０００円で演算され、５０１回以上の場合はステップＳ１０４において１日あたり５０００円で演算される。次に、ステップＳ１０５において、前回の処理までの広告料金の集計値に今回の処理で演算した広告料金を加算する処理が行われ、ステップＳ１０６において現在の日付が月初であるかどうかの判別が行われる。月初である場合は、ステップＳ１０７において、広告料金の集計値を送信データや帳票等に出力する処理を行った後、ステップＳ１０８において広告料金の集計値を０に初期化する処理が行われる。ステップＳ１０６において月初ではないと判別された場合は、広告料金計算処理を終了する。
【００６１】
上記のような処理の下では、それぞれのゴミの分別種類ごとに、広告情報を発した回数に基づいて広告料金を計算する処理が行われた後、分別種類ごとの広告料金を集計する処理が行われる。広告料金の集計は一ヶ月単位で行われ、毎月末日の広告料金を演算する日、すなわち月初めの日に前月分の広告料金の集計値を出力し、今月分の集計のために集計値を初期化する。
【００６２】
尚、上記の例ではゴミの分別種類ごとに広告料金の集計を行っているが、分別種類全体の合計回数で広告料金を算出するように構成しても良い。
【００６３】
又、上記の例では集計は月次で行っているが、集計単位は日次や週次等で行っても良い。
【００６４】
更に、広告料金計算処理Ｓ１００は課金テーブル４８ａに基づいて処理されるため、回数の区切り方や広告料金、日次料金・月次料金などの課金方法等を変更する際には課金テーブル４８ａを変更すれば良い。
【００６５】
このような広告料金の演算方法をとると、広告料金は、ゴミの分別種類ごとに実際に発せられた回数に基づいた料金となるため、スポンサー側が納得しやすい広告効果に応じた適切な料金を課金することが出来る。また、ゴミ箱装置１３の設置者あるいは広告主は、ゴミの分別種類ごとに広告情報が発せられた回数を把握することが出来るため、現在の設置場所でどの程度ゴミ箱装置１３が利用されているかを把握することが出来、広告の効果を数値的に把握することが可能となる。このため、ゴミ箱装置１３の設置場所や広告内容の決定の際にこれらの数値を参考にすることによって、更に効果的にゴミ箱装置１３を利用することが出来る。
【００６６】
図７はこの発明の第２の実施の形態によるゴミ箱装置の概略構造を示した斜視図であり、図８は図７で示したＶＩＩＩ−ＶＩＩＩラインの拡大断面図であり、図９は図８で示したＩＸ−ＩＸラインの断面図（後述するスプリングは図示せず）である。
【００６７】
これらの図を参照して、先の第１の実施形態におけるゴミ箱装置と同一部分についての説明は繰り返さず、相違点について主に説明する。
【００６８】
この実施の形態にあっては、分別表示部２７にボタンが設置されておらず、蓋体２３は手動で開閉自在となっているため当然蓋体駆動装置１９も内蔵されていない。
【００６９】
蓋体２３は回動軸２４を介して装置本体１５における投入口２９を塞ぐように開閉自在に取り付けられている。装置本体１５内部には、システム制御装置３３が格納されている上部とこの部分から下とを仕切る仕切り板５２が取り付けられている。スプリング５４が仕切り板５２と蓋体２３とを掛け渡すように取り付けられ、蓋体２３を常時閉状態になるように付勢している。利用者がゴミ箱装置１３内にゴミを投入する際は、蓋体２３に、装置本体１５外側から装置本体１５内側に向かって手で圧力をかけることによって蓋体２３を開状態とし、投入口２９よりゴミを投入する。投入後に蓋体２３から手を離すと、スプリング５４によって蓋体２３は閉状態に戻る。
【００７０】
蓋体２３の外縁のうち、縦方向の縁の一箇所にセンサー発光部５６が取り付けられ、この箇所と対向するゴミ箱本体１５の内壁に、センサー受光部５７が取り付けられている。センサー受光部５７は、蓋体２３がゴミを投入するために開状態となる必要最小限の角度となると、センサー発光部５６がその正面を通過するような位置に配置されている。センサー受光部５７は、センサー発光部５６からの発光を受光すると検知信号を発する。センサー発光部５６及びセンサー受光部５７は、ゴミの分別種類ごとに設置された蓋体２３ａ〜２３ｃについてそれぞれ１対ずつ設けられている。
【００７１】
図１０は、この実施の形態におけるシステム制御装置３３の概略構成と、広告ディスプレイ１７、スピーカ１８との関係を示したブロック図である。
【００７２】
図を参照して、システム制御装置３３は第１の実施の形態による図３と同様、システム制御部３５を中心として構成されるが、蓋体２３を手動で開状態とする構成であるため、蓋開閉制御部は設けられていない。又、ボタン２５が設けられず、蓋体２３ａ〜２３ｃにセンサー発光部５６が、装置本体１５の内壁にセンサー受光部５７がそれぞれ設けられているため、図３で示したボタン検知部４１に代わり、センサー受光部５７から検知信号が発せられたことをゴミの分別種類ごとに検知するセンサー検知部４３が設けられ、システム制御部３５に接続されている。又、第１の実施の形態同様に、記憶部３７、表示制御部３８、音声制御部３９もシステム制御部３６に接続されており、システム制御部３５は、センサー検知部４３から送信されたセンサー検知信号のいずれかを受信すると、センサー検知信号のゴミの分別種類に基づいて、該分別種類に対応する、表示用及び音声出力用の広告情報を記憶部３７より読み出し、表示用広告情報を広告ディスプレイ１７に一定時間表示させるように表示制御部３８に命令を出すと共に、音声出力用広告情報をスピーカ１８より音声出力させるように音声制御部３９に命令を出す。
【００７３】
又システム制御部３５は、センサー受光部５７の分別種類ごとの反応回数を計測し、この回数に基づいて広告料金を演算する機能を有する。
【００７４】
図１１は、システム制御部３５に格納されている課金テーブルの具体的内容を示した図である。
【００７５】
図を参照して、課金テーブル４８ｂには、センサー反応数と、それに対応する課金額が格納されている。つまり、ある分別種類のセンサー受光部５７の１日の反応回数が１００回以下であれば１日の広告料金は３，０００円であり、同じく１０１回以上５００回以下であれば４，０００円であり、５０１回以上であれば５，０００円となっている。
【００７６】
図１２は、この発明の第２の実施の形態によるゴミ箱装置のシステム制御の具体的内容を示したフローチャートである。
【００７７】
図を参照して、まずステップＳ４１において、全てのセンサー受光部５７の反応回数の計測値を０に初期化し、更にステップＳ４２において、広告料金の課金単位となる設定時間を初期化し、ステップＳ４３において、設定時間内であるかどうかの判断が行われる。
【００７８】
この実施の形態におけるゴミ箱装置１３では、利用者がゴミをゴミ箱装置１３内に投入する際に、蓋体２３ａ〜２３ｃのいずれかを開ける段階と閉まる段階とで、それぞれセンサー受光部５７が１回ずつ、計２回反応するので、実際にゴミを投入した回数の倍だけセンサー受光部５７が反応する。このため、ステップＳ４３において設定時間が過ぎたと判断されると、ステップＳ４４において、各ゴミの分別種類のセンサー受光部５７の反応回数を２で割る処理を行い、その後ステップＳ１００において広告料金計算処理が行われる。広告料金計算処理の詳細は第１の実施形態による図６のものと同様である。設定時間内である場合は、ステップＳ４５においてセンサー受光部５７が反応したかどうかの判別が行われる。センサー受光部５７が反応しない場合はステップＳ４３に戻り、センサー受光部５７が反応した場合はステップＳ４６において、センサー受光部５７の分別種類の判別が行われる。
【００７９】
分別種類“燃えないゴミ”のセンサー受光部５７が反応した場合は、ステップＳ４７において、“燃えないゴミ”のセンサー反応回数に１追加する処理が行われる。上記で説明したように、センサー受光部５７は１回のゴミの投入につき２回反応するが、このうち広告情報を発する制御がなされるのは蓋体２３が開状態になる動作がなされた時、すなわちセンサー受光部５７の奇数回目の反応の場合でよい。よって、ステップＳ４８においてセンサー反応回数が奇数であるかどうかの判別が行われ、センサー反応回数が奇数である場合は、図１０における記憶部３７内に格納されている広告情報より、分別種類“燃えないゴミ”に対応する広告情報を読み出し、この広告情報をステップＳ４９において広告ディスプレイ１７に表示及びスピーカ１８から音声出力する制御がなされ、Ｓ４５のセンサー受光部５７が反応したかどうかの判別処理に戻る。ステップＳ４８においてセンサー反応回数が奇数でない場合は、ステップＳ５０において、広告情報が表示及び音声出力されてから所定時間が経過したかどうかの判断がなされ、所定時間が経過していなければステップＳ５１において更にセンサー受光部５７のいずれかが反応したかどうかの判別がなされ、反応していなければステップＳ５０に戻り、反応していれば、ステップＳ４６のセンサー受光部５７の種類判別処理へ戻る。ステップＳ５０において、所定時間が経過したと判断されると、ステップＳ５２において、ディスプレイ１７の広告表示を消し、スピーカ１８からの広告情報の音声出力を止める制御がなされ、ステップＳ４３の設定時間内であるかどうかの判断処理に戻る。
【００８０】
分別種類“カン・ビン”のセンサー受光部５７が反応した場合は、ステップＳ５３において“カン・ビン”のセンサー反応回数に１追加する処理が行われ、ステップＳ５４において、センサー反応回数が奇数であるかどうかの判別が行われ、奇数である場合は、ステップＳ５５において記憶部３７内に格納されている広告情報より、分別種類“カン・ビン”に対応する広告情報を読み出し、この広告情報を広告ディスプレイ１７に表示及びスピーカ１８から音声出力する制御がなされた後、Ｓ４５のセンサー受光部５７が反応したかどうかの判別処理に戻る。ステップＳ５４においてセンサー反応回数が奇数でない場合以降の流れは、 “燃えないゴミ”の場合と同様である。
【００８１】
分別種類“燃えるゴミ”のセンサー受光部５７が反応した場合は、ステップＳ５９において“燃えるゴミ”のセンサー反応回数に１追加する処理が行われ、ステップＳ６０において、センサー反応回数が奇数であるかどうかの判別が行われ、奇数である場合は、ステップＳ６１において記憶部３７内に格納されている広告情報より、分別種類“燃えるゴミ”に対応する広告情報を読み出し、この広告情報を広告ディスプレイ１７に表示及びスピーカ１８から音声出力する制御がなされた後、Ｓ４５のセンサー受光部５７が反応したかどうかの判別処理に戻る。ステップＳ６０においてセンサー反応回数が奇数でない場合以降の流れは、 “燃えないゴミ”の場合と同様である。
【００８２】
上記のような制御の下では、ゴミ箱装置１３内にゴミを投入する際に、いずれかのゴミ分別種類の蓋体２３を開状態にすると、該分別種類に対応した広告情報がディスプレイ１７及びスピーカ１８より一定時間発せられるため、利用者はこれらの広告情報をゴミ投入の際に確実に視覚及び聴覚を介して認識することが出来る。また、蓋体２３は、ゴミ投入の際に開状態となった後、スプリング５４によって直ちに閉状態となるため、ゴミ以外の物が誤ってゴミ箱１３内に投入される虞が無く、臭い等の発散も防止される。更に、先の実施の形態のように蓋体駆動装置を設ける必要が無く、より単純な構成であるにも関わらず、同様の効果を発揮することが出来る。
【００８３】
図１３は、この発明の第３の実施の形態によるゴミ箱装置の概略構造を示した斜視図であり、図１４は図１３で示したＸＩＶ−ＸＩＶラインの拡大断面図である。
【００８４】
これらの図を参照して、先の第１及び第２の実施形態におけるゴミ箱装置と同一部分についての説明は繰り返さず、相違点について主に説明する。
【００８５】
この実施の形態にあっては、分別表示部２７ａ〜２７ｃにボタンが設置されておらず、投入口２９ａ〜２９ｃは常時開放状態であり、これを塞ぐ蓋体２３ａ〜２３ｃは設置されていない。
【００８６】
装置本体１５の正面側の内壁には、投入口２９ａ〜２９ｃの各々の下に、投入口２９の横幅程度の長さの帯状の光を発光する、細長い形状のセンサー発光部５８が設置されている。また、装置本体１５の背面側の内壁には、これらのセンサー発光部５８各々の正面に、対になる形で、同程度の長さの細長い形状のセンサー受光部５９が設置されている。センサー発光部５８からの光をセンサー受光部５９が受光し、受光量が一定値以下に減った際に検知信号を発する。例えば、図１４に示すように投入口２９よりゴミ７１を投入すると、ゴミ７１が破線に示す位置まで落下した時に、センサー発光部５８からの発光を一部遮るのでセンサー受光部５９の受光量が減り、検知信号が発せられる。
【００８７】
この実施の形態におけるシステム制御装置３３の概略構成と、広告ディスプレイ１７、スピーカ１８との関係を示したブロック図及びシステム制御部３５に格納されている課金テーブルの具体的内容は図１０及び図１１で示された、第２の実施形態によるものと同様である。
【００８８】
図１５は、この発明の第３の実施の形態によるゴミ箱装置のシステム制御の具体的内容を示したフローチャートである。
【００８９】
図を参照して、まずステップＳ７１において、全てのセンサー受光部５９の反応回数の計測値を０に初期化し、更にステップＳ７２において、広告料金の課金単位となる設定時間を初期化する。次にステップＳ７３において、設定時間内であるかどうかの判断が行われ、設定時間が過ぎていればステップＳ１００において広告料金計算処理が行われる、広告料金計算処理の詳細は第１の実施形態による図６のものと同様である。設定時間内である場合は、ステップＳ７４においてセンサー受光部５９が反応したかどうかの判別が行われる。センサー受光部５９が反応しない場合はステップＳ７３に戻り、センサー受光部５９が反応した場合はステップＳ７５において、センサー受光部５９の分別種類の判別が行われる。
【００９０】
分別種類“燃えないゴミ”のセンサー受光部５９が反応した場合は、ステップＳ７６において、“燃えないゴミ”のセンサー反応回数に１追加する処理が行われ、図１０における記憶部３７内に格納されている広告情報より、分別種類“燃えないゴミ”に対応する広告情報を読み出し、この広告情報をステップＳ７７において広告ディスプレイ１７に表示及びスピーカ１８から音声出力する制御がなされ、ステップＳ７８において、広告情報が表示及び音声出力されてから所定時間が経過したかどうかの判断がなされる。所定時間が経過していない場合はステップＳ７９において、更にセンサー受光部５９のいずれかが反応したかどうかの判別がなされ、反応していなければステップＳ７８に戻り、反応していれば、ステップＳ７５のセンサー受光部５９の種類判別処理へ戻る。ステップＳ７８において、所定時間が経過したと判断されると、ステップＳ８０において、ディスプレイ１７の広告表示を消し、スピーカ１８からの広告情報の音声出力を止める制御がなされ、ステップＳ７３の設定時間内であるかどうかの判断処理に戻る。
【００９１】
分別種類“カン・ビン”のセンサー受光部５９が反応した場合は、ステップＳ８１において“カン・ビン”のセンサー反応回数に１追加する処理が行われ、ステップＳ８２において、記憶部３７内に格納されている広告情報より、分別種類“カン・ビン”に対応する広告情報を読み出し、この広告情報を広告ディスプレイ１７に表示及びスピーカ１８から音声出力する制御がなされる。その後の処理の流れは、“燃えないゴミ”の場合と同様である。
【００９２】
分別種類“燃えるゴミ”のセンサー受光部５９が反応した場合は、ステップＳ８６において“燃えるゴミ”のセンサー反応回数に１追加する処理が行われ、ステップＳ８７において、記憶部３７内に格納されている広告情報より、分別種類“燃えるゴミ”に対応する広告情報を読み出し、この広告情報を広告ディスプレイ１７に表示及びスピーカ１８から音声出力する制御がなされる。その後の処理の流れは、“燃えないゴミ”の場合と同様である。
【００９３】
上記のような制御の下では、利用者がゴミを投入口２９ａ〜２９ｃのいずれかを介してゴミ箱装置１３内に投入すると、ゴミが投入された投入口の分別種類に対応した広告情報がディスプレイ１７及びスピーカ１８より一定時間発せられるため、利用者はこれらの広告情報をゴミ投入の際に確実に視覚及び聴覚を介して認識することが出来る。又、先の２つの実施の形態におけるゴミ箱装置１３と異なり、投入口２９が常に開放状態である。このため、ゴミの投入がしやすくなると共に、ゴミ箱装置１３内へゴミが投入された場合に確実に広告情報が発せられる。又、蓋体を設けないため、更に単純な構成のゴミ箱装置を実現することが出来る。
【００９４】
尚、上記の各実施の形態では、広告手段としてディスプレイ及びスピーカを用いているが、このうちいずれか一方であっても良く、又、匂い等他の広告手段でも良い。
【００９５】
又、上記の各実施の形態では、ゴミ箱本体は異なった種類の３つが設けられているが、１つ以上であれば良く、入力手段もしくは検知手段、投入口、蓋体（設ける場合のみ）、広告手段がゴミ箱本体に対応して設けられていれば良い。
【００９６】
更に、上記の各実施の形態では、広告手段はゴミ箱本体の各々に対して共通に設けられているが、ゴミ箱本体各々に対して別個に設けても良い。
【００９７】
更に、上記の各実施の形態では回数の計測手段が設けられているが、計測手段を設けないものでも良い。
【００９８】
更に、上記の各実施の形態では広告料金の演算手段が設けられているが、演算手段を設けないものでも良い。
【００９９】
更に、上記第１の実施の形態では、入力手段としてボタンを用いているが、レバー、タッチパネル等の他の入力手段でも良い。
【０１００】
更に、上記第２の実施の形態では、付勢手段としてスプリングを用いているが、重力によるもの等他の付勢手段を用いても良い。
【０１０１】
更に、上記第２の実施の形態では、検知手段として光センサーを用いているが、接点スイッチ等他の検知手段を用いても良い。
【０１０２】
更に、上記第３の実施の形態では、検知手段として光センサーを用いているが、重量の変化や超音波の乱れ等を利用した他の検知手段を用いても良い。
【図面の簡単な説明】
【０１０３】
【図１】この発明の第１の実施の形態によるゴミ箱装置の概略形状を示した斜視図である。
【図２】図１で示したＩＩ−ＩＩラインの断面図である。
【図３】この発明の第１の実施の形態によるゴミ箱装置におけるシステム制御装置の概略構成を示すブロック図である。
【図４】図３で示したシステム制御部に格納されている課金テーブルの具体的内容を示した図である。
【図５】この発明の第１の実施の形態によるゴミ箱装置におけるシステム制御を示すフローチャートである。
【図６】図５で示した広告料金計算処理の詳細を示すフローチャートである。
【図７】この発明の第２の実施の形態によるゴミ箱装置の概略形状を示した斜視図である。
【図８】図７で示したＶＩＩＩ−ＶＩＩＩラインの拡大断面図である。
【図９】図８で示したＩＸ−ＩＸラインの断面図である。
【図１０】この発明の第２の実施の形態によるゴミ箱装置におけるシステム制御装置の概略構成を示すブロック図である。
【図１１】図１０で示したシステム制御部に格納されている課金テーブルの具体的内容を示した図である。
【図１２】この発明の第２の実施の形態によるゴミ箱装置におけるシステム制御を示すフローチャートである。
【図１３】この発明の第３の実施の形態によるゴミ箱装置の概略形状を示した斜視図である。
【図１４】図１３で示したＸＩＶ−ＸＩＶラインの拡大断面図である。
【図１５】この発明の第３の実施の形態によるごみ箱装置におけるシステム制御を示すフローチャートである。
【図１６】従来のゴミ収集箱の概略形状を示した斜視図である。
【符号の説明】
【０１０４】
１３…ゴミ箱装置
１７…広告ディスプレイ
１８…スピーカ
１９…蓋体駆動装置
２１…ゴミ箱本体
２３…蓋体
２５…ボタン
２７…分別表示部
２９…投入口
３３…システム制御装置
３５…システム制御部
３７…記憶部
３８…表示制御部
３９…音声制御部
４１…ボタン検知部
４２…蓋開閉制御部
４３…センサー検知部
４８…演算テーブル
５４…スプリング
５６…センサー発光部
５７…センサー受光部
５８…センサー発光部
５９…センサー受光部
７１…ゴミ
尚、各図中同一符号は同一又は相当部分を示す。
【図１】
2007310107.tif 000003
【図２】
2007310107.tif 000004
【図３】
2007310107.tif 000005
【図４】
2007310107.tif 000006
【図５】
2007310107.tif 000007
【図６】
2007310107.tif 000008
【図７】
2007310107.tif 000009
【図８】
2007310107.tif 000010
【図９】
2007310107.tif 000011
【図１０】
2007310107.tif 000012
【図１１】
2007310107.tif 000013
【図１２】
2007310107.tif 000014
【図１３】
2007310107.tif 000015
【図１４】
2007310107.tif 000016
【図１５】
2007310107.tif 000017
【図１６】
2007310107.tif 000018